(57)【要約】      （修正有）【課題】ＤＣ／ＤＣコンバータを用いて自動車電圧の変動に対してＬＥＤ素子の発光を安定化させた字光式ナンバープレートにおいて、該ＤＣ／ＤＣコンバータが発生するノイズの、他の電子機器への影響を抑制する、バックライトモジュールを提供する。【解決手段】ＤＣ／ＤＣコンバータ３２の入力側にノイズフィルター３３を接続し、ケース１０を金属で形成する。【選択図】図１
0003235195.tif 000002
【実用新案登録請求の範囲】
【請求項１】
少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ＤＣ／ＤＣコンバータの入力側に接続されたノイズフィルターを有することを特徴とするバックライトモジュール。
【請求項２】
少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ケースが電磁波シールド構造を有するケースであることを特徴とするバックライトモジュール。
【請求項３】
少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ＤＣ／ＤＣコンバータの入力側に接続されたノイズフィルターを有し、前記ケースが電磁波シールド構造を有するケースであることを特徴とするバックライトモジュール。
【請求項４】
前記ケースが、金属、又は導電性樹脂からなることを特徴とする請求項２又は３に記載のバックライトモジュール。
【請求項５】
前記ケースが、導電性布帛又は導電性塗膜を有することを特徴とする請求項２又は３に記載のバックライトモジュール。
【考案の詳細な説明】
【技術分野】
【０００１】
本考案は、字光式ナンバープレートのバックライトモジュールに関する。
【背景技術】
【０００２】
字光式ナンバープレートは、文字や数字、記号などの表示部を配した表示プレートの背面からバックライトモジュールより光を照射し、表示部の視認性を高めたものであり、バックライトモジュールとしては、一般的に使用される白色ＬＥＤ（発光ダイオード）などの発光素子を光源に用い、該光源からの光を出射面から均一に放出するための、導光板、光反射板、光拡散板などの光学部品から構成されている。例えば、特許文献１には、浅い箱型のケースの側壁に沿って複数のＬＥＤ素子を配置し、該ＬＥＤ素子からの光を導光板を介してケースの開口側に向け、さらには、光拡散板によって拡散させる構成が開示されている。
【先行技術文献】
【特許文献】
【０００３】
【特許文献１】特開２０１３−８８６４４号公報
【考案の概要】
【考案が解決しようとする課題】
【０００４】
近年、走行中に自動車電圧が大きく変動する車両が増えてきている。自動車電圧が変動すると、一般的なＬＥＤ素子を用いた字光式ナンバープレートでは、ＬＥＤ素子の発光量が変動するため、視認性が低下してしまう。そのため、ＬＥＤ素子として定電流ダイオードを用いたり、ＬＥＤ素子の入力側に３端子レギュレータやＤＣ／ＤＣコンバータを介在させたりすることにより、ＬＥＤ素子の発光量を一定に制御する手段がとられている。しかしながら、定電流ダイオードでは、低電圧での動作が不安定になるという問題が有り、３端子レギュレータでは、発熱による製品寿命への信頼性に問題が有り、また、消費電力が大きいという問題もある。また、ＤＣ／ＤＣコンバータを用いた場合には、低電圧でも安定で、且つ、発熱量が小さく、高寿命が期待できるものの、ＤＣ／ＤＣコンバータが発生するノイズが、車両内の他の電子機器に影響を与えるおそれがある。
【０００５】
本考案の課題は、ＤＣ／ＤＣコンバータを用いて自動車電圧の変動に対してＬＥＤ素子の発光量を均一に制御した字光式ナンバープレートのバックライトモジュールにおいて、該ＤＣ／ＤＣコンバータが発生するノイズの、他の電子機器への影響を抑制した構成を提供することにある。
【課題を解決するための手段】
【０００６】
本考案の第一は、少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ＤＣ／ＤＣコンバータの入力側に接続されたノイズフィルターを有することを特徴とする。
【０００７】
本考案の第二は、少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ケースが電磁波シールド構造を有するケースであることを特徴とする。
【０００８】
本考案の第三は、少なくとも、浅い箱型のケースと、前記ケース内に配置されたＬＥＤ素子と、を有する字光式ナンバープレート用のバックライトモジュールであって、
前記ＬＥＤ素子の入力側に接続されたＤＣ／ＤＣコンバータを有し、さらに、前記ＤＣ／ＤＣコンバータの入力側に接続されたノイズフィルターを有し、前記ケースが電磁波シールド構造を有するケースであることを特徴とする。
【０００９】
本考案の第二、第三においては、以下の構成を好ましい態様として含む。
前記ケースが、金属、又は導電性樹脂からなる。
前記ケースが、導電性布帛又は導電性塗膜を有する。
【考案の効果】
【００１０】
本考案においては、ノイズ源であるＤＣ／ＤＣコンバータの入力側にノイズフィルターを接続すること、バックライトモジュールのケースとして、電磁波シールド構造を有するケースを用いること、の少なくとも一方を備えたことによって、ＤＣ／ＤＣコンバータが発生するノイズが、車両の他の電子機器への影響が抑制される。よって、自動車電圧の変動に対しても視認性が低下せず、車両の電子機器へも影響しない字光式ナンバープレートが提供される。
【図面の簡単な説明】
【００１１】
【図１】本考案のバックライトモジュールの構成部品を示す平面図である。
【図２】図１の構成部品を組み上げたバックライトモジュールの断面模式図である。
【考案を実施するための形態】
【００１２】
本考案のバックライトモジュールは、字光式ナンバープレート用であり、少なくとも、浅い箱型のケースと、光源としてのＬＥＤ素子とを有している。そして、ＬＥＤ素子の入力側にＤＣ／ＤＣコンバータを接続することで、ＬＥＤ素子に入力される電圧値の変動を抑制する。本考案では、ノイズフィルターをＤＣ／ＤＣコンバータの入力側に接続する、もしくは電磁波シールド構造をケースに持たせる、或いはその両方によって、ＤＣ／ＤＣコンバータが発生するノイズがバックライトモジュール外に漏出するのを抑制したことに特徴を有する。
【００１３】
字光式ナンバープレートは、薄い板状のバックライトモジュールと、薄い板状の表示プレートとを有している。表示プレートは、透光性表示部と遮光性基板とを有し、遮光性基板は、金属等の遮光性材料で構成された板状体で、透光性表示部を取り付けるための打ち抜き孔が形成される。透光性表示部は、ナンバープレートの表示内容である地名表示、数字で示される分類番号、平仮名で示される用途表示、及び数字とハイフンで示される車両番号を立体的にかたどったもので、透光性合成樹脂で構成され、頂面が遮光され、該頂面に続く側面及び底面が透光性である。係る透光性表示部は、打ち抜き孔を介して前面（外面）側に突出させて、遮光性基板に取り付けられている。
【００１４】
上記構成により、バックライトモジュールから表示プレートに入射した光は、透光性表示部の底面から表示部内に入射し、側面から出射する。よって、透光性表示部の遮光された頂面の周囲がバックライトからの光で囲まれて、高い視認性が得られる。
【００１５】
以下、本考案のバックライトモジュールについて、図面を参照して説明する。
【００１６】
図１は、一般的なバックライトモジュールの構成部品を示す平面図であり、図２は、図１の構成部品を組み上げたバックライトモジュールの、図１中のＡ−Ａ’部位に相当する断面模式図である。
【００１７】
本考案のバックライトモジュールは、少なくとも、ケース１０と、光源としてのＬＥＤ素子と、を備えている。図１のバックライトモジュールは、さらに導光板２０と光拡散板４０とを有しており、ＬＥＤ素子は、複数個を所定の距離を介して一列に並べたＬＥＤアッセンブリ３０として用いている。
【００１８】
本考案においては、ＬＥＤアッセンブリ３０の入力側に、ＬＥＤアッセンブリ３０に入力される電圧値を一定に制御するためのＤＣ／ＤＣコンバータ３２が接続され、さらに、該ＤＣ／ＤＣコンバータ３２が発生するノイズを抑制するために、該ＤＣ／ＤＣコンバータ３２の入力側にノイズフィルター３３が接続されている。ノイズフィルター３３は、コイル、コンデンサ、フェライト等で構成され、市販されているものを好ましく用いることができる。
【００１９】
ケース１０は、浅い箱型であり、内部にＬＥＤアッセンブリ３０とその配線３１，ＤＣ／ＤＣコンバータ３２、ノイズフィルター３３、導光板２０を収容し、開口部が光拡散板４０で覆われる。ＬＥＤアッセンブリ３０は、ケース１０の一側面の内側に沿って配置される。ケース１０の底面の内側表面、即ち導光板２０に向かう側の表面は光反射機能を有し、裏面はバックライトモジュールの裏面として機能する。
【００２０】
ケース１０は、ＤＣ／ＤＣコンバータ３２が発生するノイズがバックライトモジュールの外部に漏出するのを抑制するための電磁波シールド構造を有する。具体的には、ケース１０を導電性材料で形成するか、導電性材料で覆えばよい。例えば、電磁波を遮断する効果或いは減衰する効果の有る金属や、金属粉末などの導電性フィラーを含む導電性樹脂などの導電性材料でケース１０を形成する。或いは、非導電性樹脂からなるケース１０の内面或いは外面を、導電性塗料からなる導電性塗膜や、導電性布帛などの導電性布帛で覆う。
【００２１】
電磁波シールド構造を有するケース１０としては、バックライトモジュールの厚さを薄くできることや放熱性が高い点で金属製とすることが好ましく、具体的には、アルミニウムやステンレスが好ましく、中でも、軽量なアルミニウムが好ましい。ケース１０を金属で形成した場合、樹脂で形成するよりも厚さが薄くなるため、字光式ナンバープレート自体の厚さを薄くすることができ、ドライブレコーダーやバックカメラへの映り込みを軽減させるなど、カメラの視界を広げることができるという利点もある。
【００２２】
ＤＣ／ＤＣコンバータ３２を含む回路からは、導体を伝わる伝導ノイズと電磁波などで空間を伝わる放射ノイズとが発生する。本考案においては、ＤＣ／ＤＣコンバータ３２にノイズフィルター３３を接続することによって該ノイズフィルター３３において伝導ノイズが遮断或いは減衰され、ケース１０に電磁波シールド構造を持たせることで該ケース１０において放射ノイズが遮断或いは減衰され、結果として自動車の車内に設置された受信機を保護することを意図する「国際無線障害特別委員会（ＣＩＳＰＲ）の諸規格」のうち、「車載受信機保護のための妨害波の推奨限度値および測定法」の規格（ＣＩＳＰＲ２５）の最も厳しいクラス５を満たすことができる。
【００２３】
尚、ノイズフィルター３３、ケース１０の電磁波シールド構造の少なくとも一方を採用すれば、ノイズの影響を抑制する効果が得られるが、両方を採用することが好ましい。また、ケース１０とは反対側、即ち図１の構成の場合には光拡散板４０側から漏出するノイズに対しては、光拡散板４０の前面に表示プレートが配置され、該表示プレートを構成する遮光性基板としては、一般的に金属板が用いられるため、該表示プレートにおいてノイズを遮断或いは減衰させることができる。
【００２４】
図１の構成では、ケース１０において、導光板２０とＬＥＤアッセンブリ３０、及びＬＥＤアッセンブリ３０の配線３１、ＤＣ／ＤＣコンバータ３２、ノイズフィルター３３を配置する領域の底面を凹部１１としている。また、１４は補強用のリブ、１３はバックライトモジュールと表示プレート（不図示）とを一体化するためのネジ穴、１５はノイズフィルター３３の入力側配線をケース１０から外部に引き出すための引き回し穴である。
【００２５】
導光板２０は、該導光板２０の端部に設けられたＬＥＤアッセンブリ３０からの光を、バックライトモジュールの表面から出射させるために導光する透明板で、アクリル樹脂、ＣＯＰなどの高透明性樹脂で構成される。端部側面から入射した光を、バックライトモジュール表面からほぼ垂直方向に均一に出射させるためには、導光板２０の表面に、表面加工により形成される小さなドット状の凹凸や、樹脂からなる高光反射性の白色インキで構成される印刷ドットを、ＬＥＤアッセンブリ３０からの距離などに応じて適切な密度で配置する。
【００２６】
図１の導光板２０には、表示プレートの用途表示と車両番号の個々の文字、数字、ハイフンの間に、光路遮断用の孔部２１が設けられており、係る孔部２１で区分された領域に対応するＬＥＤ素子が故障した場合には、対応する領域の文字や数字などが暗くなることで、故障が容易に視認されるように構成されている。尚、ケース１０の底面には、係る孔部２１に対応する凸部１２が形成されており、ケース１０に導光板２０を載置した際に、孔部２１に凸部１２が嵌合されて、導光板２０を所定の位置に載置でき、且つ、ケース１０内に導光板２０を固定できるように構成されている。
【００２７】
光拡散板４０は、導光板２０からの光を、より均一に出射させるために光拡散機能を有するだけでなく、バックライトモジュール内部に水が浸入してＬＥＤアッセンブリ３０が破損しないよう、気密性を維持するために、外周部において、接着剤や溶着加工等によりケース１０に接合されている。光拡散機能は透明樹脂中に、基材樹脂とは屈折率の異なる粒子状拡散材や気泡を混ぜることで得られる。また、光拡散板４０の光出射側の表面の、地名及び分類番号に対応する領域４２（破線で囲まれた領域）には、輝度調整のため、遮光印刷を施している。４１は、上記した、バックライトモジュールと表示プレートとを一体化するためのねじ穴である。
【００２８】
図１に示したバックライトモジュールは、ケース１０内にＬＥＤアッセンブリ３０、ＤＣ／ＤＣコンバータ３２、ノイズフィルター３３、導光板２０を収納し、光拡散板４０で覆った上に防塵クッション５０を介して表示プレート（不図示）を載置して、ネジ穴１３、４１、及び表示プレートに設けられたネジ穴にネジを通して一体化される。
【００２９】
尚、本考案において、ＬＥＤ素子の配置形態や、ＤＣ／ＤＣコンバータ３２やノイズフィルター３３の位置、導光板２０の形状等は、図１に例示したものに限定されない。
【符号の説明】
【００３０】
１０：ケース、１１：凹部、１２：凸部、１３：ネジ穴、１４：リブ、１５：配線引き回し穴、２０：導光板、２１：孔部、３０：ＬＥＤアッセンブリ、３１：配線、３２：ＤＣ／ＤＣコンバータ、３３：ノイズフィルター、４０：光拡散板、４１：ネジ穴、４２：遮光印刷、５０：防塵クッション
【図１】
0003235195.tif 000003
【図２】
0003235195.tif 000004